(57)【要約】【課題】電柱上の状況に応じ、必要な空間に自由に枝棒を延設できるようにし、鳥類の飛来、および営巣を確実に防止できるようにする。【解決手段】略々鉛直に支持される幹軸１の側面に傾斜状なるように複数の貫通孔３ａ，３ｂ，３ｃ，…を適宜間隔を離して形成し、該貫通孔に適宜長の枝棒２を貫挿することで該枝棒を傾斜状に支持し、該枝棒の少なくとも傾斜上端部に該貫通孔より大径の抜止部材５を設ける。幹軸１に適宜間隔を離して複数の貫通孔３ａ，３ｂ，３ｃ，…を平面視で四方八方を向くように形成することにより複数の枝棒２を放射状に取着する。【選択図】  図１
2004313005.tif 000002
【特許請求の範囲】
【請求項１】
略々鉛直に支持される幹軸の側面に傾斜状なるように複数の貫通孔を適宜間隔を離して形成し、該貫通孔に適宜長の枝棒を貫挿することで該枝棒を傾斜状に支持し、該枝棒の少なくとも傾斜上端部に該貫通孔より大径の抜止部材を設けてなることを特徴とした鳥害防止具。
【請求項２】
枝棒は幹軸から下向き傾斜状に垂れ下がるように取着されるものである請求項１に記載の鳥害防止具。
【請求項３】
幹軸に適宜間隔を離して複数の貫通孔を平面視で四方八方を向くように形成することにより、該幹軸に複数の枝棒を放射状に取着した請求項１または２に記載の鳥害防止具。
【請求項４】
幹軸側面のスパイラル状の軌跡に複数の貫通孔を適宜間隔をもって形成した請求項１〜３のいずれかに記載の鳥害防止具。
【請求項５】
幹軸および枝棒は絶縁性の材料からなるものである請求項１〜４のいずれかに記載の鳥害防止具。
【発明の詳細な説明】
【０００１】
【発明の属する技術分野】
本発明は主として電柱上にカラスや鳩などの鳥類が巣作りするのを防止するために設置する鳥害防止具に関するものである。
【０００２】
【従来の技術】
【特許文献１】
特開平１０−８４８３９号公報
【特許文献２】
特開２００３−０００１３４号公報
【特許文献３】
特開２００１−２５８４６４号公報
【０００３】
カラス，鳩等の鳥類の飛来を防ぐために多数の棒状の突起を間隔を密にして配置した鳥害防止具は、上記特許文献１，２等により知られている。また、特許文献３は電柱上等に球体を吊り下げることで巣作りが行えないように空間を制限するものである。
【０００４】
【発明が解決しようとする課題】
ところで電柱上の営巣可能な空間は、腕金の取付状況や開閉器，変圧器等の有無等により大きく異なるものであるが、従来の上記特許文献１〜３等に記載された鳥害防止具では、その防止具の取付数や球体の大きさを増減させることでそれらの状況の違いに対処するほかないものであった。このため上記従来の防止具では取付現場での施策が容易でなく、状況によっては営巣可能な空間が残り、鳥害を有効に防止できないおそれがあった。
また、多数の棒を上向きに配置してなる従来の防止具では、鳥類が口にくわえて運んできた針金製のハンガー等をこの棒に引っ掛けることが可能であるので、電柱上の僅かな空間でも巣作りを可能にするおそれがあった。
【０００５】
【課題を解決するための手段】
本発明は上記従来の鳥害防止具の欠点を解消しようとするものである。
そのために本発明に係る鳥害防止具は、略々鉛直に支持される幹軸の側面に傾斜状なるように複数の貫通孔を適宜間隔を離して形成し、該貫通孔に適宜長の枝棒を貫挿することで該枝棒を傾斜状に支持し、該枝棒の少なくとも傾斜上端部に該貫通孔より大径の抜止部材を設けてなることを特徴とする。
また、本発明は上記鳥害防止具において、枝棒は幹軸から下向き傾斜状に垂れ下がるように取着されるものであることを特徴とする。
このため、電柱上の状況に応じ枝棒を必要な空間に自由に延設することができるとともに、巣作りのための針金等が落下するようにして営巣を困難にする。
【０００６】
また、本発明は上記鳥害防止具において、幹軸に適宜間隔を離して複数の貫通孔を平面視で四方八方を向くように形成することにより、該幹軸に複数の枝棒を放射状に取着したことを特徴とする。
また、本発明は上記鳥害防止具において、幹軸側面のスパイラル状の軌跡に複数の貫通孔を適宜間隔をもって形成したことを特徴とする。
このため、電柱上の必要とする部分に広範囲に均等に枝棒を延設できる。
また、本発明は上記鳥害防止具において、幹軸および枝棒は絶縁性の材料からなるものであることを特徴とする。
このため、電柱上で移動してもこれが原因で短絡事故を起こすおそれを回避できる。
【０００７】
【発明の実施の形態】
以下に本発明の実施の形態を図面と共に説明する。図１は本発明に係る鳥害防止具の斜視図、図２はその平面図である。図中、１は略々鉛直に支持される幹軸、２は該幹軸に取着される枝棒である。幹軸１は絶縁性の合成樹脂材料からなる剛性を有した直径１０ｍｍ程の丸棒状のものである。また、枝棒２は絶縁性および剛性の高いガラス繊維からなり、幹軸１より細径の直線棒状体で、その外周面にポリエチレン樹脂皮膜を施してなる。そして、図３，図４に示したように、幹軸１の側面に適宜間隔を離して複数の貫通孔３ａ，３ｂ，３ｃ，…を平面視で四方八方を向くように形成し、枝棒２を該貫通孔３ａ，３ｂ，３ｃ，…に貫挿することにより、該幹軸１に複数の枝棒２が放射状に取着される。なお、該各貫通孔３ａ，３ｂ，３ｃ，…は、水平面に対する角度αが約３０度の傾斜状に形成されることから、該各枝棒２は該貫通孔３ａ，３ｂ，３ｃ，…に貫挿することにより該幹軸１から約３０度の下向き傾斜状に垂れ下がるように取着される。そして、この実施形態では該貫通孔３ａ，３ｂ，３ｃ，…が幹軸１側面に描いたスパイラル状の軌跡４上に平面視で図２に示されるように角度βが４５度の間隔にて形成されることにより、各枝棒２が四方八方を向く。
【０００８】
そして、該各枝棒２の少なくとも傾斜上端部に貫通孔３ａ，３ｂ，３ｃ，…より大径のキャップ状の抜止部材５を装着し接着剤等で固定することにより、該各枝棒２が貫通孔３ａ，３ｂ，３ｃ，…から抜脱しないようにしている。なお、図示したように、各枝棒２を貫通孔に貫挿した後に同様の抜止部材５を各枝棒２の傾斜下端部にも装着してもよい。
【０００９】
このように構成した鳥害防止具は、図５に使用状態を例示したように、電柱６の腕金７にクランプ８を介して固定した筒状の取付具９に幹軸１の下端部を挿入することにより略々鉛直に支持され、各枝棒２をこの電柱上で四方八方に放射状に張り出すことにより、鳥類の飛来、および営巣が防止される。特に各枝棒２は下向き傾斜状に支持されていることから、巣作りのための針金等が運び込まれてもこれが傾斜に沿って落下して営巣を困難にする。
また、枝棒２は各貫通孔３ａ，３ｂ，３ｃ，…の全部に貫挿する必要はなく、電柱上にて必要な部分にのみ装着できるとともに、カッターによって適当な長さに簡単に切断できるので、開閉器や変圧器等に接触しないように、しかも電柱上の営巣のおそれのある空間に自由に延設することができる。
【００１０】
また、この鳥害防止具は腕金７等に取付具９を固定するだけで簡単に取り付けられるので、取付場所を選ばず電柱上の空間の状況に従い自由に設定、或いは増設することができる。
【００１１】
図６は上記抜止部材５の他の実施形態を示すもので、この実施形態に示した抜止部材５は開口部の両側に二股状の把持部５ａ，５ａが一体に形成され、図７に示したように該抜止部材５を枝棒２の傾斜上端部に装着したとき該把持部が幹軸１を両側から挟着することで、該枝棒２の無用な移動が防止されるようにしている。
【００１２】
なお上記実施形態では枝棒２とは別体に形成された抜止部材５を装着したが、枝棒２の端部に抜止部材５を一体に成形するようにしても、或いは枝棒２の端部を折り曲げることによって抜止部材５に相当する部分を形成してもよい。また、幹軸１に対する枝棒２の取着角度等は上記実施形態に限られたものでないことは言うまでもない。
【００１３】
【発明の効果】
このように本発明に係る鳥害防止具は、略々鉛直に支持される幹軸の側面に傾斜状なるように複数の貫通孔を適宜間隔を離して形成し、該貫通孔に適宜長の枝棒を貫挿することで該枝棒を傾斜状に支持するものであるので、状況に応じ該枝棒を適宜長さに切断し、必要な空間に自由に延設することができて営巣を完全に困難にし、鳥害を有効に防止できる効果がある。
【図面の簡単な説明】
【図１】本発明の実施形態を示す鳥害防止具の斜視図。
【図２】図１の鳥害防止具の平面図。
【図３】本発明の実施形態を示す鳥害防止具の分解斜視図。
【図４】本発明の実施形態を示す鳥害防止具の幹軸の側面図。
【図５】図１の鳥害防止具の使用状態を示す斜視図。
【図６】本発明の鳥害防止具の他の実施形態を示した要部の分解斜視図。
【図７】本発明の鳥害防止具の他の実施形態を示した要部の斜視図。
【符号の説明】
１                    幹軸
２                    枝棒
３ａ，３ｂ，３ｃ，…  貫通孔
４                    軌跡
５                    抜止部材
９                    取付具
【図１】
2004313005.tif 000003
【図２】
2004313005.tif 000004
【図３】
2004313005.tif 000005
【図４】
2004313005.tif 000006
【図５】
2004313005.tif 000007
【図６】
2004313005.tif 000008
【図７】
2004313005.tif 000009